(57)【特許請求の範囲】
【請求項１】
スマートフォンのセキュリティ設定をリセットするための方法であって、
スマートフォンが画面を消した後の第１の予め設定された時間内で、スマートフォンのフロントカメラ、リアカメラにより、スマートフォンがあるテーブルに置かれて少なくとも３６０度反転されたか否かを検出するステップＳ１００と、
そうである場合、スマートフォンのセキュリティ設定をリセットするステップＳ２００とを含むリセット方法。
【請求項２】
前記第１の予め設定された時間が３秒又は５秒であることをさらに含むことを特徴とする請求項１に記載の方法。
【請求項３】
前記ステップＳ１００は、
携帯電話の一回の正面から背面への反転又は背面から正面への反転が検出された場合、フロントカメラとリアカメラをアクティブ化し、且つ第２の予め設定された時間ごとに、撮影された写真を一回取得するようにフロントカメラとリアカメラを制御するサブステップＳ１０１と、
前記フロントカメラとリアカメラで撮影された写真に２枚の近似シーンの写真があるか否かを判定するサブステップＳ１０２とを含むことを特徴とする請求項１に記載の方法。
【請求項４】
バックグラウンドで実行されている全てのアプリケーションを終了するステップＳ３０２をさらに含むことを特徴とする請求項１に記載の方法。
【請求項５】
通信信号とデータ信号を含む携帯電話のネットワーク信号をリセットするステップＳ３０３をさらに含むことを特徴とする請求項１に記載の方法。
【請求項６】
スマートフォンのセキュリティ設定をリセットするためのシステムであって、
スマートフォンが画面を消した後の第１の予め設定された時間内で、スマートフォンのフロントカメラ、リアカメラにより、スマートフォンがあるテーブルに置かれて少なくとも３６０度反転されたか否かを検出するように構成される検出ユニットと、
検出ユニットがそうであると判定した場合、スマートフォンのセキュリティ設定をリセットするように構成される実行ユニットとを備えるシステム。
【請求項７】
前記第１の予め設定された時間が３秒又は５秒であることをさらに含むことを特徴とする請求項６に記載のシステム。
【請求項８】
前記検出ユニットは、
携帯電話の一回の正面から背面への反転又は背面から正面への反転が検出された場合、フロントカメラとリアカメラをアクティブ化し、且つ第２の予め設定された時間ごとに、撮影された写真を一回取得するようにフロントカメラとリアカメラを制御するように構成される初回反転検出ユニットと、
前記フロントカメラとリアカメラで撮影された写真に２枚の近似シーンの写真があるか否かを判定するように構成される２回目の反転の判定ユニットとを含むことを特徴とする請求項６に記載のシステム。
【請求項９】
バックグラウンドで実行されている全てのアプリケーションを終了するように構成されるバックグラウンド制御ユニットをさらに備えることを特徴とする請求項６に記載のシステム。
【請求項１０】
携帯電話の通信信号とデータ信号を含むネットワーク信号をリセットするように構成されるネットワーク信号リセットユニットをさらに備えることを特徴とする請求項６に記載のシステム。
【発明の詳細な説明】
【技術分野】
【０００１】
本開示は、スマートフォン分野に属し、特にスマートフォンのセキュリティ設定をリセットするための方法及びそのシステムに関する。
【背景技術】
【０００２】
従来技術では、スマートフォンの使用に精通していないユーザ、特に長時間に渡る使用で電話をかけるユーザや、ショートメッセージを送信することができるのみであるユーザがスマートフォンを使用するときに、様々な不便と不慣れが存在する。現在のスマートフォンは、機能が豊富であり、携帯電話ＡＰＰの選択の幅と種類が非常に多い。これらのユーザの使用中の誤操作が携帯電話のセキュリティ設定に大きなリスクをもたらす場合、彼らがさらにスマートフォンを動作することに不利であり、さらに、誤操作で個人のプライバシー情報又は財産の損失を招いてしまう。また、この場合、ユーザはどのようにセキュリティ設定をリセットするかを知らない。
【発明の概要】
【発明が解決しようとする課題】
【０００３】
上記問題を解決するために、本開示はスマートフォンのセキュリティ設定をリセットするための方法を開示する。
【課題を解決するための手段】
【０００４】
スマートフォンのセキュリティ設定をリセットするための方法は、
スマートフォンが画面を消した後の予め設定された時間内で、スマートフォンのフロントカメラ、リアカメラにより、スマートフォンがあるテーブルに置かれて少なくとも３６０度反転されたか否かを検出するステップＳ１００と、
そうである場合、スマートフォンのセキュリティ設定をリセットするステップＳ２００とを含む。
【０００５】
また、スマートフォンのセキュリティ設定をリセットするためのシステムを開示し、該システムは、
スマートフォンが画面を消した後の第１の予め設定された時間内で、スマートフォンのフロントカメラ、リアカメラにより、スマートフォンがあるテーブルに置かれて少なくとも３６０度反転されたか否かを検出するように構成される検出ユニットと、
検出ユニットがそうであると判定する場合、スマートフォンのセキュリティ設定をリセットするように構成される実行ユニットとを備える。
【発明の効果】
【０００６】
上記解決手段により、本開示は、ユーザフレンドリーで、スマートフォンに精通していないユーザが容易にスマートフォンのセキュリティ設定をリセットする方法及びそのシステムを実現する。
【図面の簡単な説明】
【０００７】
【図１】本開示の一つの実施例における方法の概略図である。
【図２】本開示の一つの実施例におけるシステムの概略図である。
【発明を実施するための形態】
【０００８】
当業者が本開示で開示される技術的解決手段を理解するように、以下、実施例及び関連する図面と組み合わせて各実施例における技術的解決手段を説明する。説明される実施例が本開示の一部の実施例にすぎず、全ての実施例ではない。本開示に用いられる用語「第１」、「第２」などは異なるオブジェクトを区別することに用いられるが、特定の順序を説明するためのものではない。また、「含む」と「有する」及びそれらのいかなる変形は、非排他的な包含をカバーすることを意図する。例えば一連のステップ又はユニットを含むプロセス、又は方法、又はシステム、又は製品又は装置は示されたステップ又はユニットに限定されず、選択可能に示されないステップ又はユニットをさらに含み、又は選択可能にこれらのプロセス、方法、システム、製品又は装置固有の他のステップ又はユニットをさらに含む。
【０００９】
本明細書に言及される「実施例」は、実施例と組み合わせて説明される特定の特徴、構造又は特性が本開示の少なくとも一つの実施例に含まれてもよいことを意味する。本明細書の様々な箇所に現れる該語句は、必ずしも同じ実施例を指すわけではなく、他の実施例と相互に排他的に独立した実施例又は代替実施例ではない。当業者は、本明細書に説明される実施例が他の実施例と組合わせられてもよいことを理解できる。
【００１０】
図１を参照すると、スマートフォンのセキュリティ設定をリセットするための方法は、
スマートフォンが画面を消した後の第１の予め設定された時間内で、スマートフォンのフロントカメラ、リアカメラにより、スマートフォンがあるテーブルに置かれて少なくとも３６０度反転されたか否かを検出するステップＳ１００と、
そうである場合、スマートフォンのセキュリティ設定をリセットするステップＳ２００とを含む。
【００１１】
スマートフォンの使用に精通していないユーザ、特に、長時間に渡る使用でも電話をかけるユーザや、ショートメッセージを送信することができるのみであるであるユーザがスマートフォンを使用する過程において、誤操作が発生しやすく、元の使用環境、特にセキュリティ環境が破壊される。例えば、携帯電話を誤ってオフにし、さらに、セキュリティに関連するソフトウェアをアンインストールした場合、携帯電話が重大なセキュリティリスクに直面し、さらに、個人のプライバシー情報又は財産の損失を招いてしまう。ユーザは、この問題を認識する場合、どのようにセキュリティソフトウェアを起動したり、再インストールしたり、リセットしたりするか、例えばアンチウィルスソフトウェアをアクティブ化したり、アンチウィルスソフトウェアの最新バージョンを再インストールしたり、プライバシーファイルが他の第三者アプリケーションに不適切にクラウドバックアップされることを防止したりするかを知らないことが多い。
【００１２】
上記実施例では、スマートフォンがあるテーブルに置かれて少なくとも３６０度反転されたか否かを巧妙にフロントカメラとリアカメラで検出し、少なくとも３６０度反転された場合、スマートフォンのセキュリティ設定をリセットする。
【００１３】
誤操作による前記セキュリティ設定の不適切なリセットを防止するために、上記実施例では第１の予め設定された時間という制限条件が導入される。第１の予め設定された時間を超えている場合、ステップＳ１０００が実行されず、そのためテーブルに置かれた携帯電話が何回反転されても、ステップＳ２００がトリガされないことにより、誤操作による前記セキュリティ設定の不適切なリセットを回避する。
【００１４】
好ましくは、前記第１の予め設定された時間が３秒又は５秒である。なお第１の予め設定された時間が他の適切な時間であってもよく、且つユーザが前記第１の予め設定された時間を変更することを許可できる。ユーザは、自身が携帯電話の３６０度の回転を完了するために必要な時間に応じて、前記第１の予め設定された時間を合理的に設定することができる。
【００１５】
前記セキュリティ設定がユーザによって最後に保存されたセキュリティ設定であってもよく、且つ複数の履歴セキュリティ設定を維持でき、いかなる場合でいずれかのセキュリティ設定をデフォルトのセキュリティ設定に設定し、又は、最後のセキュリティ設定をいずれかのセキュリティ設定で置き換えることができる。
【００１６】
前記セキュリティ設定は、
第１タイプの設定であるロック解除設定（例えばキャラクターパスワード又はジェスチャーパスワード、又は指紋でロック解除を行う必要がある）、
第２タイプの設定である携帯電話取り戻し設定（例えば携帯電話取り戻し機能を起動し、安全なショートメッセージを受信するための対応する安全な携帯電話番号の設定を容易にする）、
第３タイプの設定であるセキュリティソフトウェアの設定（例えばブランドＡのアンチウィルスソフトウェアのインストール、ブランドＢのいたずら電話シールドソフトウェアのインストールをチェックして確認する）、
第４タイプの設定であるユーザによってインストールされた他の第三者アプリケーションの設定（例えばモバイルデータネットワークでネットワークに接続してファイルをダウンロードすること、ネットワークディスクソフトウェアがアルバムを自動的に同期すること、アドレス帳ソフトウェアがアドレス帳を自動的に同期することなどを禁止する）、
第５タイプの設定であるスマートフォンのオペレーティングシステムに対する他のセキュリティ設定のうちのいずれかの一つ又はそれらの組み合わせを含むことができる。
【００１７】
なお、アンチウィルスソフトウェアを再チェックしてインストールすることを例に挙げると、本開示により、ユーザがアンチウィルスソフトウェアがアンインストールされたことを発見するがどのようにインストールするかを知らない場合、携帯電話をテーブルに置いて少なくとも３６０度回転するだけで、アンチウィルスソフトウェアに対するチェックを自動的にトリガすることができ、アンインストールされた場合、セキュリティソフトウェアの最新バージョンを内蔵サーバーのＵＲＬ又はｉｐアドレスによって自動的にダウンロードし、且つインストールした後に前記セキュリティソフトウェアを起動してフルスキャンを実行する。即ち、本開示は関連するセキュリティ設定をユーザフレンドリーでリセットすることができ、これは、新しいものを受け入れる能力が弱いユーザにとって非常に便利である。
【００１８】
さらに、携帯電話取り戻し機能をリセットすることを例に挙げると、これは、スマートフォンの操作に慣れておらず、精通していないユーザに対して、ユーザ自身がどのように携帯電話取り戻し機能を上手に設定してアクティブ化するかを知らない場合でも、ユーザが携帯電話取り戻し機能のアクティブ化の必要があることを意識しているならば、テーブル上で携帯電話を３６０度反転させるだけでよい。
【００１９】
好ましくは、前記セキュリティ設定はさらにクラウドサーバーにバックアップされ、且つスマートフォンに同期できる。なお、スマートフォンのセキュリティ設定が失われた場合又はデータが破損された場合でも、依然として前記セキュリティ設定の正常なリセットを確保することができる。
【００２０】
別の実施例では、前記ステップＳ１００は、
携帯電話の一回の正面から背面への反転又は背面から正面への反転が検出された場合、フロントカメラとリアカメラをアクティブ化し、且つ第２の予め設定された時間ごとに、撮影された写真を一回取得するようにフロントカメラとリアカメラを制御するステップＳ１０１と、
前記フロントカメラとリアカメラで撮影された写真に２枚の近似シーンの写真があるか否かを判定するステップＳ１０２とを含む。
【００２１】
上記実施例は、携帯電話が３６０度反転されたことをどのようにフロントカメラとリアカメラにより判定するかを例示する。
【００２２】
まず、携帯電話の一回の反転を検出する手段が多いため、ここでは、詳細に列挙せず、いくつかの従来の手段のみを列挙する。例えば、重力センサー、方向センサーなどによって３次元加速度値を取得し、一回の反転が初めて検出された後、重力センサー、方向センサーなどによって次に一回の反転が発生するか否かを検出し続けることができるが、本開示は、そのような手段を使い続けることを意図しない。重力センサー、方向センサーのような反転を検出するための手段の適用範囲が狭いため、普遍性及び精度を向上させるために、本開示ではフロントカメラとリアカメラによりさらに判定し、詳細については以下を参照する。
【００２３】
次に、本実施例では一回の反転が検出された直後、フロントカメラとリアカメラをアクティブ化し、且つ第２の予め設定された時間（例えば１００ｍｓ、５０ｍｓ、又はより長く又はより短い第２の予め設定された時間）ごとに、撮影された写真を一回取得するようにフロントカメラとリアカメラを制御する。なお、撮る際にシャッター音を鳴らさない方が良い。
【００２４】
次に、フロントカメラで撮影された第１グループの全ての写真を、リアカメラで撮影された第２グループの全ての写真と比較し、第１グループのある写真と第２グループの別の写真とに近似シーンが存在するか否かを判定する。
【００２５】
例えば、典型的には、前記テーブルが透明ではない場合、ユーザが携帯電話を一回反転した（即ち１８０度反転した）直後、フロントカメラ、リアカメラがアクティブ化されると仮定すると、この場合、フロントカメラ、リアカメラが全てすぐに写真を撮る。且つ、フロントカメラ、リアカメラのどちらがテーブルに向かうかに関わらず、一つのカメラは一枚のほぼ暗い写真、又は暗い写真を撮るべきであり、携帯電話を少なくとも１８０度反転し続ける場合、別のカメラは、必然的に反転しながらテーブルに向かい、これにより、一枚のほぼ暗い写真、又は暗い写真を撮る。これにより、フロントカメラで撮影された第１のグループの写真のうちの一枚の写真とリアカメラで撮影された第２のグループの写真のうちの別の一枚の写真に近似シーンが必ず存在し、ほぼ暗く、又は暗いシーンである。
【００２６】
さらに特別な点は、テーブルが透明である場合、３６０度の反転中、フロントカメラとリアカメラがいずれもテーブルに向かう時点があり、第２の予め設定された時間で撮ると、フロントカメラとリアカメラがテーブルを撮るチャンスを有し、同一のシーンにおいて撮影された写真が存在することにある。１８０度反転し続ける（５４０度累積的に反転する）と仮定すると、フロントカメラの写真グループに少なくとも２枚の近似シーンの写真があり、リアカメラの写真グループも同様である。従って、２つのグループの写真のうちの近似シーンの写真により、少なくとも３６０度反転することを判定することができる。なお、テーブルを撮るチャンスに加えて、テーブルの反対側のシーンも対応してフロントカメラとリアカメラに交互に撮影され、同様に、近似シーンの写真があるか否かを比較することに用いることができる。さらに、テーブル及びその反対側のシーンを撮る以外、テーブルに垂直な軸に関して、前記軸の両側が前記第２の予め設定された時間で撮られてもよく、これらの写真は、同様に、近似シーンがあるか否かを判定することに用いることができ、且つ同様に、少なくとも３６０度反転するか否かを判定することに用いることができる。なお、このような写真の撮影手段はテーブルと水平面の傾斜角に限定されない。２枚の写真に近似シーンがあるか否かを判定するための従来の技術的手段が多く、いずれも適用でき、又は簡単に変更した後に本開示に用いることができ、本開示も２枚の写真に近似シーンがあるか否かを判定するための新しい手段を提案することを意図しない。よって、ここでは、このような手段についての説明を省略する。
【００２７】
上記の複数の実施例と組み合わせて、本開示でフロントカメラ、リアカメラにより、少なくとも３６０度反転するか否かを判定するための技術的手段が重力センサー、方向センサーなどより明らかに正確であり、且つ適用範囲が広く、磁場環境、テーブルと水平面の傾斜角、バンプなどの様々な環境に限定されないことを理解できる。バンプが発生する場合、撮影された写真に対してシェイク処理又はアンシェイク処理を実行するだけでよい。また、上記の複数の実施例により、少なくとも３６０度反転する必要がある理由を理解することもできる。一回目の１８０度の反転がフロントカメラ、リアカメラをアクティブ化し、すぐに撮ることに用いられ、二回目の１８０度の反転がフロントカメラ、リアカメラで撮影された写真に近似シーンがあるか否かを判定することに用いられ、３回目の１８０度の反転をすると、さらにフロントカメラ、リアカメラグループに近似シーンの写真を見つけることができる。さらに、ステップＳ２００が実行された後、ロントカメラ、リアカメラで撮影された上記写真を削除することができる。
【００２８】
さらに、好ましくは、関連する設定はスマートフォンのオペレーティングシステムのＸＭＬファイル又はＪＳＯＮファイル又は他のスクリプトによって設定されてもよい。リセットする際に、オペレーティングシステムは、関連するパスで保存された関連ファイル又はスクリプトにアクセスし、その中の命令を実行すればよい。
【００２９】
別の実施例では、ステップＳ２００が実行された後、さらに次のステップを実行する。
【００３０】
ステップＳ３０２において、バックグラウンドで実行されている全てのアプリケーションを終了する。
【００３１】
スマートフォンがバックグラウンドで多くのプログラムを実行している場合、さらに、ユーザが誤って操作する場合、特に携帯電話の動作が遅く、ユーザが困惑する場合、セキュリティ設定を復元した後、バックグラウンドで実行されている全てのアプリケーションを終了することにより、ユーザエクスペリエンスを向上させ、携帯電話がスムーズに動作することを確保することができる。アンチウィルスソフトウェア、いたずら電話シールドソフトウェアを常にバックグラウンドで実行する必要がある場合、バックグラウンドで実行されているアプリケーションを選択的に終了することができる。
【００３２】
より好ましくは、スマートフォンのオペレーティングシステムは、携帯電話がフリーズ状態にあると判定する場合、携帯電話を再起動するように自動的に案内する。ユーザがフリーズに対処する方法を知らない可能性があるため、これは、スマートフォンに精通していないユーザにとってより有利である。
【００３３】
別の実施例では、ステップＳ２００が実行された後、さらに、次のステップを実行する。
【００３４】
ステップＳ３０３において、携帯電話の通信信号とデータ信号を含むネットワーク信号をリセットする。
【００３５】
上記実施例における携帯電話の動作が遅い場合、携帯電話がフリーズ状態にある場合と比べ、本実施例は、通信信号が良くなく、又はネットワークから離脱する（例えばＧＳＭ（登録商標）ネットワーク、ＣＤＭＡネットワーク、又は第４の世代の通信ネットワークから離脱する）場合、又はデータ信号が良くない（例えばユーザが誤って操作して移動データ又はＷｉｆｉをオフにし、さらに、ユーザが誤って操作してフライトモードを起動する）場合、ユーザが困惑し、どのように処理するかを知らないという問題を解決するために、ネットワーク信号を速くリセットする。上述したユーザの使用障害を解決するために、本開示のリセットが自動リセットを指すことを容易に理解する。
【００３６】
携帯電話の通信信号をリセットするための手段は、ｓｉｍカードを無効にし、ｓｉｍカードを再度有効にし、又は携帯電話のｓｉｍカードモジュールを直接再起動することを含むがこれに限定されない。
【００３７】
携帯電話のデータ信号をリセットするための手段は、移動データをオフにし、移動データを有効にし、又は携帯電話の移動データモジュールを直接再起動すること、Ｗｉｆｉをオフにし、Ｗｉｆｉを再度有効にし、又はＷｉｆｉモジュールを直接再起動すること、又はフライトモードを有効にし、フライトモードを無効にすることを含むがこれらに限定されない。
【００３８】
なお、リセットがスクリプトによって関連するリセット命令を実行することができ、命令がいずれも実行直後に有効になることができる。
【００３９】
上記各実施例に対して、関連する設定をリセットした後、関連する信号又は機能のリセットを既に完了したことをユーザに知らせることができるが、知らせなくてもよく、具体的なニーズに応じて決定する。
【００４０】
別の実施例では、ステップＳ２００が実行された後、さらに、次のステップを実行する。
【００４１】
ステップＳ３０４において、携帯電話のフォントをビッグサイズモードに設定する。
【００４２】
なお、該実施例が目の保護を要求するユーザに対するものである。
【００４３】
上記方法と類似し、図２を参照し、別の実施例では、スマートフォンのセキュリティ設定をリセットするシステムを開示する。
【００４４】
スマートフォンのセキュリティ設定をリセットするシステムは、
スマートフォンが画面を消した後の第１の予め設定された時間内で、スマートフォンのフロントカメラ、リアカメラにより、スマートフォンがあるテーブルに置かれて少なくとも３６０度反転されたか否かを検出するように構成される検出ユニットと、
検出ユニットがそうであると判定した場合、スマートフォンのセキュリティ設定をリセットするように構成される実行ユニットとを備える。
【００４５】
上記方法の関連する実施例を参照すると、ここで説明されるシステムの実施例が具体的な機能ユニットによって対応するシステムレベルの技術的解決手段を示すことを理解することができる。
【００４６】
同様に、別の実施例では、前記第１の予め設定された時間が３秒又は５秒である。
【００４７】
同様に、別の実施例では、前記検出ユニットは、
携帯電話の一回の正面から背面への反転又は背面から正面への反転が検出された場合、フロントカメラとリアカメラをアクティブ化し、且つ第２の予め設定された時間ごとに、撮影された写真を一回取得するようにフロントカメラとリアカメラを制御するように構成される初回反転検出ユニットと、
前記フロントカメラとリアカメラで撮影された写真に２枚の近似シーンの写真があるか否かを判定するように構成される２回目の反転の判定ユニットとを含む。
【００４８】
同様に、別の実施例では、前記システムは、さらに、
バックグラウンドで実行されている全てのアプリケーションを終了するように構成されるバックグラウンド制御ユニットを備える。
【００４９】
同様に、別の実施例では、前記システムはさらに、
携帯電話の通信信号とデータ信号を含むネットワーク信号をリセットするように構成されるネットワーク信号リセットユニットを備える。
【００５０】
同様に、別の実施例では、前記システムはさらに、
携帯電話のフォントをビッグサイズモードに設定するように構成されるフォントリセットユニットを備える。
【００５１】
本開示の実施例における方法のステップは実際ニーズに応じて順序調整、組み合わせと削減を行うことができる。
【００５２】
本開示の実施例におけるシステムのユニットは実際ニーズに応じて組み合わせ、区分と削減を行うことができる。なお、上述した各方法の実施例に対して、簡単に説明するために、それらを一連の動作の組み合わせとして記述するが、当業者であれば、本発明が説明される動作の順序の制限を受けない。本発明によれば、いくつかのステップが他の順序を採用すること又は同時に実行されることができるためであると理解すべきである。次に、当業者であれば、明細書に説明される実施例はいずれも好ましい実施例に属し、係る動作、モジュール、ユニットが必ず本発明の必要なものではないと理解すべきである。
【００５３】
上記実施例では、各実施例の説明について異なる強調を持っているため、ある実施例に詳述されない部分に対して、他の実施例の関連説明を参照することができる。
【００５４】
本出願が提供するいくつかの実施例では、開示されたシステムは、他の方式により実現されてもよいと理解すべきである。例えば、上記システムの実施例は例示的なものだけである。例えば、前記ユニットの区分は、論理機能的区分だけであり、実際に実施する際には、他の区分モードもあり得る。例えば複数のユニット又は構成要素は組み合わせてもよく、別のシステムに統合されてもよく、いくつかの特徴は無視されてもよく、又は、実行されなくてもよい。また、各ユニット又はコンポーネントの相互結合、直接結合、又は通信接続は、いくつかのインターフェース、装置かユニットを介する間接的結合、又は、通信接続であってもよく、電気的又は他の形態であってもよい。
【００５５】
分離部材として説明された前記ユニットは物理的に分離するものであってもよく又は物理的に分離するものでなくてもよく、一つの箇所に位置してもよく、又は複数のネットワーク要素に分布してもよい。実際のニーズに応じてそのうちの一部又は全てのユニットを選択して本実施例の技術的解決手段の目的を達成することができる。
【００５６】
また、本開示の各実施例における各機能ユニットは一つの処理ユニットに統合されてもよく、個々のユニットは単独で物理的に存在してもよく、二つ又は二つ以上のユニットは一つのユニットに統合されてもよい。上記統合されたユニットはハードウェアの形態で実現されてもよく、ソフトウェア機能ユニットの形態で実現されてもよい。
【００５７】
前記統合されたユニットはソフトウェア機能ユニットの形態で実現され且つ独立した製品として販売又は使用される際に、一つのコンピュータ読み取り可能な記憶媒体に格納されてもよい。このような理解に基づき、本開示の技術的解決手段は本質的に従来技術に寄与する部分又は該技術的解決手段の全部又は一部がソフトウェア製品の形態で実現されてもよい。該コンピュータソフトウェア製品は、コンピュータ装置（スマートフォン、パーソナルデジタルアシスタント、ウェアラブルデバイス、ノートブックコンピュータ、タブレットコンピュータであってもよい）に本開示の様々な実施例に記載される方法の全部又は一部のステップを実行させるためのいくつかの命令を含み、記憶媒体に記憶される。前記憶媒体はＵディスク、読み出し専用メモリ（ＲＯＭ：Ｒｅａｄ−ＯｎｌｙＭｅｍｏｒｙ）、ランダムアクセスメモリ（ＲＡＭ：ＲａｎｄｏｍＡｃｃｅｓｓＭｅｍｏｒｙ）、モバイルハードディスク、磁気ディスク又は光ディスク等のプログラムコードを記憶できる各種の媒体を含む。
【００５８】
上述したように、以上の実施例は本開示の技術的解決手段を説明するためのものだけであり、それを制限しない。上記実施例を参照して本開示を詳しく説明したが、当業者であれば、依然として上記の各実施例に記載の技術的解決手段を変更し、又はそのうちの一部の技術的特徴に対して同等入れ替えを行うことができ、これらの変更又は入れ替えが対応する技術的解決手段の本質を本開示の各実施例の各技術的解決手段の範囲から逸脱させないと理解すべきである。
【図１】
0006862029.tif 000002
【図２】
0006862029.tif 000003